(57)【要約】【課題】  容易にショルダーストラップを掴んでバッグを持ち上げるための技術を提供する。【解決手段】  バッグのためのストラップアッセンブリは、概して、第１端部と第２端部を画定するストラップを含む。両方の端部は、バッグに柔軟に連結される。少なくとも第１端部は、補強要素を含む。支持部材は、補強要素に連結される。支持部材は、ストラップをバッグに対してある角度で持ち上げるように構成され、角度が調整可能である。【選択図】  図１
2014014671.tif 000002
【特許請求の範囲】
【請求項１】
バッグ用のストラップアッセンブリであって、
第１端部と第２端部を画定するストラップであって、両方の端部が前記バッグに柔軟に連結され、少なくとも前記第１端部が補強要素を含む前記ストラップと、
前記補強要素および前記バッグに連結される支持部材であって、前記ストラップを前記バッグに対してある角度で持ち上げるように構成され、前記角度が調整可能である前記支持部材と、を備えるストラップアッセンブリ。
【請求項２】
前記補強要素は、合成樹脂、熱可塑性ゴム、ガラス繊維、金属、または気泡混入材の少なくとも１つを備える、請求項１に記載のストラップアッセンブリ。
【請求項３】
前記支持部材は、前記第１端部から前記第２端部までの長さの半分以下のところで前記補強要素に連結される、請求項１又は２に記載のストラップアッセンブリ。
【請求項４】
前記ストラップは、さらに軟質材料を含み、前記軟質材料は、前記補強要素を実質的に囲む、請求項１から３のいずれか一項に記載のストラップアッセンブリ。
【請求項５】
前記ストラップは、実質的に耐水性の表面を含む、請求項１から４のいずれか一項に記載のストラップアッセンブリ。
【請求項６】
前記支持部材は、フックアンドループ式締結部材を含む、請求項１から５のいずれか一項に記載のストラップアッセンブリ。
【請求項７】
前記支持部材は、ヒンジ結合具を含む、請求項１から６のいずれか一項に記載のストラップアッセンブリ。
【請求項８】
前記ストラップは、前記ストラップの長さを調整するように構成されるガイド部材を含む、請求項１から７のいずれか一項に記載のストラップアッセンブリ。
【請求項９】
前記角度は、約７５度〜約１３０度の範囲である、請求項１から８のいずれか一項に記載のストラップアッセンブリ。
【請求項１０】
基部と、
前記基部に結合される１つ以上の壁部であって、細長い物体を保管する密閉可能なハウジングを画定する前記壁部と、
第１端部と第２端部を画定するストラップであって、両方の端部が前記壁部に柔軟に連結され、少なくとも前記第１端部が補強要素を含む前記ストラップと、
前記補強要素および前記バッグに連結される支持部材であって、前記ストラップを前記バッグに対してある角度で持ち上げるように構成され、前記角度が調整可能である前記支持部材と、を備えるバッグ。
【請求項１１】
２つの各端部を画定する第２ストラップをさらに備え、各端部の両方が前記壁部に柔軟に連結され、少なくとも１つの各端部が第２補強要素を含み、前記バッグは、前記第２補強要素と前記バッグに連結された第２支持部材も備え、前記第２支持部材は、前記第２ストラップを前記バッグに対して第２角度で持ち上げるように構成され、前記第２角度が調整可能である、請求項１０に記載のバッグ。
【請求項１２】
前記壁部の少なくとも１つは、実質的に耐水性の表面を含む、請求項１０又は１１に記載のバッグ。
【請求項１３】
前記壁部の少なくとも一部に沿って延在しかつ連結された背柱をさらに備え、前記背柱が第１の剛性と関連付けられ、前記壁部が第２の剛性と関連付けられ、前記第１の剛性は前記第２の剛性より高く、前記ストラップの前記第１端部は、前記背柱に柔軟に連結される、請求項１０から１２のいずれか一項に記載のバッグ。
【請求項１４】
前記補強要素は、合成樹脂、熱可塑性ゴム、ガラス繊維、金属、または気泡混入材の少なくとも１つを備える、請求項１０から１３のいずれか一項に記載のバッグ。
【請求項１５】
前記支持部材は、前記第１端部から前記第２端部までの長さの半分以下のところで前記補強要素に連結される、請求項１０から１４のいずれか一項に記載のバッグ。
【請求項１６】
前記ストラップは、さらに軟質材料を含み、前記軟質材料は、前記補強要素を実質的に囲む、請求項１０から１５のいずれか一項に記載のバッグ。
【請求項１７】
前記ストラップは、実質的に耐水性の表面を含む、請求項１０から１６のいずれか一項に記載のバッグ。
【請求項１８】
前記支持部材は、フックアンドループ式締結部材を含む、請求項１０から１７のいずれか一項に記載のバッグ。
【請求項１９】
前記支持部材は、ヒンジ結合具を含む、請求項１０から１８のいずれか一項に記載のバッグ。
【請求項２０】
前記ストラップは、前記ストラップの長さを調整するように構成されたガイド部材を含む、請求項１０から１９のいずれか一項に記載のバッグ。
【請求項２１】
前記角度は、約７５度〜約１３０度の範囲である、請求項１０から２０のいずれか一項に記載のバッグ。
【請求項２２】
ストラップアッセンブリを有するゴルフバッグを製造する方法であって、
基部と、前記基部に結合された１つ以上の壁部とを有するバッグ本体を形成する工程と、
２つの端部を画定するストラップを形成する工程であって、少なくとも１つの端部が補強要素を含む工程と、
両方の端部を前記壁部に柔軟に連結する工程と、
支持部材を前記補強要素と前記バッグに連結する工程であって、前記支持部材が前記ストラップを前記バッグに対してある角度で持ち上げるように構成され、前記角度が調整可能である工程と、を備える方法。
【請求項２３】
２つの各端部を画定する第２ストラップを形成する工程であって、少なくとも１つの各端部が第２補強要素を含む工程と、各端部の両方を前記壁部に柔軟に連結する工程と、第２支持部材を前記第２補強要素と前記バッグに連結する工程とをさらに備え、前記第２支持部材が前記第２ストラップを前記バッグに対して第２角度で持ち上げるように構成され、前記第２角度が調整可能である、請求項２２に記載の方法。
【請求項２４】
背柱を前記壁部の少なくとも一部に沿って連結する工程をさらに備え、前記第１端部は、前記背柱に柔軟に連結される、請求項２２又は２３に記載の方法。
【請求項２５】
前記支持部材を連結する工程は、前記支持部材を前記第１端部から前記第２端部までの長さの半分以下のところで前記補強要素に連結する工程を備える、請求項２２から２４のいずれか一項に記載の方法。
【請求項２６】
前記ストラップを形成する工程は、前記補強要素を実質的に囲む軟質材料を有するストラップを形成する工程を備える、請求項２２から２５のいずれか一項に記載の方法。
【請求項２７】
フックアンドループ式締結部材を前記支持部材に結合する工程をさらに備える、請求項２２から２６のいずれか一項に記載の方法。
【請求項２８】
ヒンジ結合具を前記支持部材に結合する工程をさらに備える、請求項２２から２７のいずれか一項に記載の方法。
【請求項２９】
ガイド部材を前記ストラップに結合する工程をさらに備え、前記ガイド部材が前記ストラップの長さを調整するように構成される、請求項２２から２８のいずれか一項に記載の方法。
【発明の詳細な説明】
【技術分野】
【０００１】
本開示は、バッグ用の、特にゴルフバッグ用のストラップアッセンブリに関する。
【背景技術】
【０００２】
ほとんどのゴルフバッグは、閉鎖された底側端部と、開放された上側端部と備えた略円筒状の構造を有する管状の布または革の容器の形態であってもよく、開放された上側端部を介して、ゴルフクラブをゴルフバッグに挿入し、かつ、取り出す。ゴルフバッグは、様々に意図された使用に対して良く適合するように、多様なサイズおよび材料で製造されるが、ゴルフバッグは、通常２つの基本クラスに分類される。ゴルフバッグの第１クラスは、プルカートで運ばれるように、あるいはゴルフカートで運搬されるように設計された一般により大型でより重量のあるゴルフバッグである。一方、ゴルフクラブバッグの第２クラスは、プレイ中個人によって持ち運ばれるように設計された一般により小型でより軽量のゴルフバッグである。具体的には、ゴルフバッグの第２クラスは、一般に「キャリーバッグ」と呼ばれ、それはゴルフバッグを持ち上げかつ持ち運ぶために使用されてもよいキャリーストラップ構造を使用して、個人によって持ち運ばれる。多くのキャリーバッグは、ゴルフバッグを持ち上げて個人の肩にかけて持ち運ぶための１つまたは２つのキャリーストラップからなるキャリーストラップ構造を有する。
【発明の概要】
【発明が解決しようとする課題】
【０００３】
芝が濡れている早朝のラウンド中または雨天時、ショルダーストラップは、地面の濡れた芝と接触して濡れる場合がある。さらに、ストラップまたはバッグは、芝の中に砂が広がるバンカーの近くに置かれると、砂っぽくなる場合がある。従って、ゴルフバッグが地面に置かれている時、立った状態でゴルフバッグから外方に伸びるストラップアッセンブリに対する必要性が生じている。ストラップアッセンブリが立つことにより、ショルダーストラップはすぐに持ち上げられる状態に都合よく伸びているので、個人がより簡単にショルダーストラップを掴み、ゴルフバッグを持ち上げることも可能になり得る。
【０００４】
本明細書では、容易にショルダーストラップを掴んでバッグを持ち上げるための技術を提供する。
【課題を解決するための手段】
【０００５】
本明細書で開示される技術は、バッグのためのストラップアッセンブリに具現化される。ストラップアッセンブリは、ストラップと支持部材とを備える。ストラップは、第１端部と第２端部を画定する。両方の端部は、バッグに柔軟に連結される。少なくとも第１端部は、補強要素を含む。支持部材は、補強要素およびバッグに連結される。支持部材は、ストラップをバッグに対してある角度で持ち上げるように構成され、角度が調整可能である。
【図面の簡単な説明】
【０００６】
【図１】本明細書に記載される製造の装置、方法および物品の一実施形態によるバッグ用ストラップアッセンブリの斜視図であり、ストラップアッセンブリは、ストラップに連結された支持部材を含んでいる。
【図２】図１と同様の斜視図であるが、ストラップから分離した支持部材を示す。
【図３】図１のバッグの拡大された部分斜視図である。
【図４】図３の線４−４に沿ったバッグの断面図である。
【図５】図３の線５−５に沿ったバッグの断面図であり、ストラップ内の補強要素を示す。
【図６】図３のストラップの分解図であり、ストラップ内の補強要素を示す。
【図７】図１のストラップアッセンブリの拡大側面図であり、ストラップをバッグに対してある角度で持ち上げる支持部材を示す。
【図８】図７と同様の拡大側面図であるが、ストラップをより大きい角度で持ち上げる支持部材を示す。
【図９】図７の支持部材をどのように使用してストラップを持ち上げるかを示す概略図である。
【図１０】図９と同様の概略図であるが、図８の支持部材をどのように使用してストラップを持ち上げるかを示す。
【図１１】バッグを製造する方法を示すフローチャートである。
【発明を実施するための形態】
【０００７】
添付図面の異なる図面において、対応する参照文字は、対応する要素を示す。図面中に使用されている見出しは、請求項の範囲を制限するものとして解釈するべきではない。
【０００８】
本明細書に記載されているように、バッグ用ストラップアッセンブリは、バッグを容易に持ち上げられるように、あるいは地面との接触を避けるように、ストラップが立った状態で、バッグから外方へ伸びることができるように構成かつ配置される。芝が（例えば雨、スプリンクラ装置、朝露等により）濡れている時、ゴルフバッグ用のショルダーストラップは、地面の濡れた芝と接することにより濡れる場合がある。さらに、ショルダーストラップは、砂が芝の中に広がっているバンカーの近くに置かれると、砂っぽくなる場合がある。バッグストラップを支えることによって、ストラップアッセンブリは、地面との接触を避けることができる。使用しない時、ストラップは、コンパクトな収納のために折りたたむことができる。また、ストラップアッセンブリが立っていることにより、ショルダーストラップがすぐに持ち上げられる状態に適切に伸びているので、個人がより簡単にショルダーストラップを掴み、ゴルフバッグを持ち上げることが可能になる。従って、個人はショルダーストラップを掴むために、それほど屈まなくてもよい。これにより、ゴルフが原因の腰部の問題、膝痛、または疲労など、しゃがみ込みに関する別の問題が軽減される。従って、ゴルフストラップをこれまで以上に掴みやすくすることで、ゴルフのラウンドがより楽しくなり得る。
【０００９】
本明細書に記載されるバッグ用ストラップアッセンブリは、第１端部および第２端部を画定するストラップを一般に含み、両方の端部は、バッグに柔軟に連結され、少なくとも第１端部は補強要素を含んでいる。支持部材が補強要素に連結される。支持部材は、ストラップをバッグに対してある角度で持ち上げるように構成され、角度は調整可能である。バッグは、例えば、ゴルフクラブ、スキー用具、およびホッケーのスティックなどのスポーツ用具を運ぶために使用されてもよい。
【００１０】
例えば図１を参照すると、バッグ１０２用のストラップアッセンブリ１００が一実施形態に従って示されている。バッグ１０２は、基部（不図示）と、基部に結合された１つ以上の壁部１０４とを含む。壁部１０４は、細長い物体（不図示）を保管する密閉可能なハウジングを画定する。いくつかの実施形態では、バッグ１０２は、アイアンタイプゴルフクラブ、ウッドタイプゴルフクラブ、およびパタータイプゴルフクラブを含むゴルフクラブ、スキー用具、ホッケーのスティック、本、供給品、衣類、大工道具、建築工具、ボウリングのボール、測量器具、コンピュータおよびコンピュータ関連の付属品、紙、書類、美術用具、武器、靴および食品を含むがこれらに限定されない重量物を持ち運びまたは運搬可能であり得る。バッグ１０２はストラップアッセンブリ１００と接続される限りどのような形態および形状であってもよい。いくつかの実施形態では、バッグ１０２は、一般にゴルフバッグ、細長いダッフルバッグ、バックパック、ボウリングバッグまたはスーツケースであり得る。
【００１１】
壁部１０４は、布材料（例えばポリエステル、ナイロン、キャンバスまたはデニム）、革、合成ゴム、ネオプレン、ポリエチレン、ポリウレタン、アクリロニトリルブタジエンスチレン、プラスチックまたはそれらの組み合わせなどの適切な柔軟性のある材料から形成されてもよく、あるいは他の材料から他の方法で作製され得る。本明細書に記載されている製造の装置、方法および物品は、この点について制限されない。いくつかの実施形態では、壁部１０４の少なくとも１つは、実質的に耐水性の表面を含む。例えば、壁部１０４の少なくとも一部は、ガラス繊維を含んでもよい。いくつかの実施形態では、壁部１０４の少なくとも一部は、ネームブランド、カンパニーロゴ、名前入り工芸品、写真、チームロゴ、またはその他の言葉および絵による内容を含むが、これらに限定されないしるし（不図示）を示すために使用されてもよい。しるしは、壁部１０４に刺繍されてもよく、あるいは他の方法で結合されてもよい。
【００１２】
ストラップアッセンブリ１００は、第１端部１０８と第２端部１１０を画定するストラップ１０６を含む。両方の端部１０８および１１０は、バッグ１０２の壁部１０４に柔軟に連結される。示される実施形態では、第１端部１０８は、壁部１０４に縫合されるか縫い付けられ、第２端部１１０は、リングあるいは他の型の取付具を介して、壁部１０４に連結される。しかしながら、他の実施形態では、第１および第２端部１０８、１１０は、他の適切な機構を介して、壁部１０４に柔軟に連結されてもよい。示される実施形態では、第１端部１０８は、補強要素１１２（図１には示されず図５および６を参照のこと）を含む。しかしながら、他の実施形態では、第１および第２端部１０８、１１０の１つまたは両方が、別個の補強要素１１２を含んでもよい。いくつかの実施形態では、補強要素１１２は、ストラップ１０６の略全長に沿って延在してもよい。示される実施形態では、ストラップ１０６は、ストラップ１０６の長さを調整するように構成されたガイド部材１１４を含む。いくつかの実施形態では、ガイド部材１１４は、個人の特定の好みに適合するようにストラップ１０６の長さを調整するバックルであるが、本明細書で開示されたバックル１１４と同じ機能を果たす他の構造を代わりに使用することができる。
【００１３】
支持部材１１６は、補強要素１１２に連結される。以下で説明するように、支持部材１１６は、ストラップ１０６をバッグ１０２に対してストラップ角度θで持ち上げるように（例えば図７、８、９および１０で示されるように）構成される。いくつかの実施形態では、支持部材１１６は、第１端部１０８から第２端部１１０までの長さの中間点以下の位置で、補強要素１１２に連結される。別の実施形態では、支持部材１１６は、第１端部１０８から第２端部１１０までの長さの３分の１以下のところで補強要素１１２に連結される。さらに別の実施形態では、支持部材１１６は、ストラップ１０４をバッグ１０２に対してストラップ角度θで持ち上げるのに適切な位置で補強要素１１２に連結される。
【００１４】
同様に図２を参照すると、示される支持部材１１６は、フックアンドループ式またはＶｅｌｃｒｏ（登録商標）の締結部材１１８を含む。フックアンドループ式締結部材１１８は、支持部材１１６を、ストラップ１０６に分離可能に連結するように構成または配置される。従って、使用しない時、ストラップ１０６をコンパクトな収納のために下方に折りたためるように、フックアンドループ式締結部材１１８は、ストラップ１０６から分離することができる。本明細書で使用されるが、用語「上部」「底部」「前部」「後部」「側部」「上方」「下方」および他の方向を表す用語は、特定の向きを要求することを意図せず、代わりに単なる説明を目的として使用される。以下でさらに説明するように、フックアンドループ式締結部材１１８により、バッグ１０２に対するストラップ１０６のストラップ角度θを容易に調整することができる。図１および２は、フックアンドループ式締結部材１１８を含むように支持部材１１６を示すが、他の実施形態では、支持部材１１６およびストラップ１０６の一方または両方が、別個のフックアンドループ式またはＶｅｌｃｒｏ（登録商標）の締結部材１１８を含んでもよい。さらに他の実施形態では、支持部材１１６とストラップ１０６は、留め金、ボタンまたは他の適切な締結部材を介して、分離可能に連結されてもよい。
【００１５】
同様に図３および４を参照すると、示されるバッグ１０２は、壁部１０４の少なくとも一部に連結された背柱１２０を含む。示される実施形態では、背柱１２０は、バッグ１０２の上部１２４からバッグ１０２の底部の方へ長手方向１２２に延在する。他の実施形態では、背柱１２０は、必ずしも長手方向１２２に延在することなく、壁部１０４の少なくとも一部に沿って延在してもよい。示される実施形態では、ストラップ１０６の第１端部１０８は、例えば縫合されるまたは縫い付けられて、背柱１２０に柔軟に連結される。いくつかの実施形態では、背柱１２０は、第１の剛性と関連付けられ、壁部１０４は、第２の剛性と関連付けられ、第１の剛性は第２の剛性より大きい。従って、背柱１２０は、必要な剛性、構造的硬さ、硬度、強度、衝撃強度またはそれらの組み合わせを提供することができる。
【００１６】
いくつかの実施形態では、背柱１２０は、バッグ１０２の長手方向１２２に沿って、断面が先細になり得る。特定のバッグ１０２の使用要件あるいは優先度に応じて、背柱１２０の断面がバッグ１０２の長手方向１２２に沿って実質的に均一である構造を含む他の構造が可能である。図３は、円形断面を有する背柱１２０を示すが、他の実施形態では、背柱１２０は、半円形、正多角体および不規則な多角体形状、その派生体およびそれらの組み合わせを含むが、それらに限定されない任意の断面形状をとってもよい。
【００１７】
同様に図５および６を参照すると、示されるストラップ１０６は、補強要素１１２を実質的に囲む軟質材料１２６を含む。従って、補強要素１１２は外側から見えない。補強要素１１２は、合成樹脂、熱可塑性ゴム、ガラス繊維、金属または気泡混入材（ｅｎｔｒａｐｐｅｄ）の少なくとも１つを含むことができる。いくつかの実施形態では、補強要素１１２は、長手方向１２２に柔軟性があるが、長手方向１２２に実質的に垂直な方向に硬いすなわち柔軟性がない他の適切な材料から作製することができる。別の実施形態では、補強要素１１２は、長手方向において曲げられた状態から、コンパクトな収納のために直線状に延在する状態に戻るように、実質的に弾性である。
【００１８】
実質的に補強要素１１２を囲む示される軟質材料１２６は、発泡ゴムまたは合成樹脂（例えばポリエチレンまたはポリプロピレン）から形成可能であり、布１２８によって被覆可能である。いくつかの実施形態では、ストラップ１０６の布１２８は、実質的に耐水性の表面を含む。例えば、ストラップ１０６の布１２８の少なくとも一部は、ガラス繊維を含んでもよい。図５および６は、実質的に補強要素１１２を囲む軟質材料１２６を示すが、他の実施形態では、軟質材料１２６は、補強要素１１２が外側から部分的に見えるように補強要素１１２を部分的に囲んでもよい。他の実施形態では、特定のバッグ１０２の使用要件または優先度に応じて、ストラップ１０６は軟質材料１２６を含まなくてもよい。
【００１９】
同様に図７を参照すると、ストラップアッセンブリ１００の拡大側面図は、ストラップ１０６をバッグ１０２に対してストラップ角度θで持ち上げるように構成または配置された支持部材１１６を示している。示される実施形態では、ストラップ１０６は、第１取付具１３０において、バッグ１０２の上部１２４にまたはその近くに取り付けられ、第２取付具１３２において、ストラップ１０６に取り付けられる。結果として得られる構造により、バッグ１０２が地面に置かれている時、ストラップ１０６は上方へ、バッグ１０２から離して支えられる。この点において、支持部材１１６は、マストの重量を直立位置において支持する（すなわちマストを船の甲板に対して垂直に維持する）ために航海用船舶で使用されるマスト支持物、例えばケーブルに似ている。航海用船舶では、マスト支持物は、概ね直角三角形の斜辺を形成しつつ、三角形の他の２辺を形成するマストおよび船体の一部とともにマストの頂部から船体まで伸びる。同様に、示されるストラップ１０６の第１および第２端部１０８、１１０の間の中間部分は、バッグ１０２が地面に置かれる時、マスト支持物と同様の働きをする支持部材１１６により、上方にかつバッグ１０２から離れて立つことができる。
【００２０】
さらに、ストラップアッセンブリ１００の第１端部１０８と第２端部１１０とは、バッグ１０２の壁部１０４に柔軟に連結されている。従って、ストラップアッセンブリ１００は、補強材によってではなく、マスト支持物に類似する機能を有する支持部材１１６によって支える。支持部材１１６は、第１取付具１３０から第２取付具１３２まで伸びている。支持部材１１６を、強く引張ることによって、第１と第２取付具１３０，１３２間の長さが減少し、ストラップ１０６を強化するためのストラップ角θが増加する。これにより、支持部材１１６は、マストの重量を直立位置において支持する（すなわちマストを船の甲板に対して垂直に維持する）。支持部材１１６を有するために、ストラップの下端に、ストラップ１０６を立った位置に維持するための補強材を必要としない。
【００２１】
示される実施形態では、支持部材１１６は、第１取付具１３０においてバッグ１０２に取り付けられ、第２取付具１３２においてストラップ１０６に取り付けられるが、ストラップ１０６は、第３取付具１３４においてバッグ１０２に取り付けられる。いくつかの実施形態では、第１および第３取付具１３０、１３４は、それらの間の長さがバッグ１０２の長手方向１２２と実質的に平行に延在するように位置決めされる。しかしながら、他の実施形態では、第１および第３取付具１３０、１３４は、特定のバッグ１０２の使用要件または優先度に応じた他の構成または配置で位置決めされる。
【００２２】
第１、第２および第３取付具１３０、１３２、１３４は、バッグ１０２の長手方向１２２に対して垂直な方向に見た場合、概ね三角形１３６を形成する。三角形１３６は、ストラップ角度θと相補的である内角αと関連付けられる、すなわち内角αとストラップ角度θは合計１８０度になる。示される実施形態では、第１および第３取付具１３０、１３４間の長さ、および第２および第３取付具１３２、１３４間の長さは、内角αの辺であり、第３取付具１３４が内角αの頂点である。三角形において、最も短い辺は最も小さい内角の反対にあり、最も長い辺は最も大きい内角の反対にある。従って、第１、第２および第３取付具１３０、１３２、１３４に関連付けられる三角形１３６の相対的な辺の長さを変えることによって、内角αを変えることができ、結果として、ストラップ角度θを変えることができる。例えば、第１および第２取付具１３０、１３２間の長さを三角形１３６の他の２辺に対してより短くすると、内角αはより小さくなり、ストラップ角度θはより大きくなる。従って、三角形１３６の他の２辺に対して、第１および第２取付具１３０、１３２間の長さを短くするほど、ストラップ角度θは大きくなり、その逆も同様に起きる。
【００２３】
三角形の他の２辺に対する第１および第２取付具１３０、１３２間の長さの変化は、様々な方法で達成することができる。例えば、フックアンドループ式締結部材１１８をストラップ１０６の異なる位置に取り付けることによって、第１および第２取付具１３０、１３２間の長さを変えることができる。同様に、Ｄリングまたははしご型固定具などのガイド要素（不図示）を第２取付具１３２の位置に取り付けて、支持部材１１６の長さを調整することができる。支持部材１１６は、ストラップ１０６を支えるべく、第１伸長部において第１取付具１３０から第２取付具１３２まで伸び、続いてガイド要素を通り、第２伸長部において第１取付具１２６の方へ戻り、第１および第２伸長部間で重なった部分を作り出してもよい。いくつかの実施形態では、支持部材１１６の重なった部分は、フックアンドループ式締結部材、留め金、ボタンまたは他の適切な締結部材を介して分離可能に１つに結合されてもよい。支持部材１１６を、第１伸長部においてより強く引っ張ることによって、第１および第２取付具１３０、１３２間の長さは減少し、それにより内角αが縮小し、ひいてはストラップ角度θが拡大する。
【００２４】
いくつかの実施形態では、ストラップ角度θは、約７５度〜約１３０度の範囲である。いくつかの実施形態では、ストラップ角度θは、少なくとも７５度、少なくとも８０度、少なくとも８５度、少なくとも９０度、少なくとも９５度、少なくとも１００度、少なくとも１０５度、少なくとも１１０度、少なくとも１１５度、少なくとも１２０度、または少なくとも１２５度である。別の実施形態では、ストラップ角度θは１３０度以下、１２５度以下、１２０度以下、１１５度以下、１１０度以下、１０５度以下、１００度以下、９５度以下、９０度以下、８５度以下、または８０度以下である。従って、ストラップ角度θは７５度〜１２０度、７５度〜１１０度、７５度〜１００度または７５度〜９０度であることができる。
【００２５】
同様に図８〜１０を参照すると、第１および第３取付具１３０、１３４間の長さまたは第２および第３取付具１３２、１３４間の長さに対して、第１および第２取付具１３０、１３２間の長さを短くすることによって、ストラップ角度θに対してより大きいストラップ角度θ’で支持部材１１６はストラップ１０６を持ち上げることができることを拡大側面図および概略図が示している。特に、ストラップ１０６が図８の仮想線で示される位置まで、あるいは図１０で示される位置まで持ち上げられる時、第１取付具１３０から第２取付具１３２まで伸びる支持部材１１６は、直角三角形の斜線を概ね形成し、この時ストラップ１０６は、第３取付具１３４から第２取付具１３２まで伸び、バッグ１０２は、第１取付具１３０と第３取付具１３４の間に伸び、三角形の他の２辺を形成している。バッグ１０２が地面に置かれている時、ストラップ１０６の中に補強要素１１２がない場合、第２取付具１３２は、バッグ１０２に対して最も高いところに立っているストラップ１０６の部分を定めることは認識されよう。ストラップ１０６は補強要素１１２を含むと好ましいが、その結果、バッグ１０２が地面に置かれている時、ストラップ１０６の最高地点は、第１および第２端部１０８、１１０間の適切な別の中間位置に存在するであろう。
【００２６】
いくつかの実施形態では、支持部材１１６は、ヒンジ結合具（不図示）を含む。例えば、雌型部材をバッグ１０２の上部１２４にまたはその近くに連結可能であり、雄型部材を支持部材１１６に連結し、雌型部材に隣接して位置決めすることが可能である。支持部材１１６とバッグ１０２を１つに連結するように、ロッドが雌型部材および雄型部材に挿入可能である。別の実施形態では、支持部材１１６は、１つ以上の雌型部材、１つ以上の雄型部材、またはそれらの組み合わせを含んでもよい。同様に、バッグ１０２は、１つ以上の雄型部材、１つ以上の雌型部材、またはそれらの組み合わせを含んでもよい。ヒンジ結合具は、従って１つ以上の雌型および雄型部材を適切に含むことができる。いくつかの実施形態では、雌型および雄型部材は、それぞれ支持部材１１６およびバッグ１０２と一体的に形成されてもよい。しかしながら他の実施形態では、雌型および雄型部材は別個に形成され、支持部材１１６およびバッグ１０２のそれぞれ１つに、接着剤または締結部材を介して取り付けられてもよい。
【００２７】
いくつかの実施形態では、バッグ１０２は、第２のストラップ（不図示）を含んでもよい。第１ストラップ１０６と同様に、第２ストラップは、２つの各端部を画定し、両方の各端部は、バッグ１０２の壁部１０４に柔軟に連結される。第２ストラップの少なくとも１つの各端部は、第２補強要素を含んでもよい。バッグ１０２はまた、第２補強要素とバッグ１０２に連結される第２支持部材（不図示）を含んでもよい。第１支持部材１１６と同様に、第２支持部材は、第２ストラップをバッグに対して第２の角度で持ち上げるように構成されてもよく、第２の角度は、調整可能であってもよい。第１および第２ストラップは、バックルまたはクリップを介して、互いに連結されてもよい。具体的には、一対のキャリーストラップを有するキャリーストラップ構成を、両方のキャリーストラップを交差した態様で係合するバックルに沿って第１のキャリーストラップが第２のキャリーストラップと交差するように配置してもよい。バックルを使用するこの交差構成により、ゴルフバッグを持ち運ぶ時、各キャリーストラップを、個人のそれぞれの肩に係合することが可能になる。
【００２８】
いくつかの実施形態では、バッグ１０２は、バッグ１０２の壁部１０４に枢動式に接続され、バッグ１０２の基部が地面に置かれる時外側に枢動する拡張性支持脚部（不図示）を含んでもよい。拡張された脚部およびバッグ１０２の基部は、バッグ１０２が地面に対してある角度で直立した状態に保持されるように三脚を形成する。バッグ１０２が地面から持ち上げられると、あるいは垂直に位置決めされると、支持脚部はバッグ１０２の壁部１０４に枢動して戻される。一態様によれば、ストラップアッセンブリ１００を有するゴルフバッグ１０２を製造する方法は、概して、基部と基部に結合された１つ以上の壁部１０４とを有するバッグ本体を形成する工程と、２つの端部１０８、１１０を画定するストラップ１０６を形成する工程と、両端部１０８、１１０を壁部１０４に柔軟に連結する工程と、支持部材１１６を補強要素１１２およびバッグ１０２に連結する工程とを含む。図１１の例では、工程１１００は、基部と基部に結合された１つ以上の壁部１０４とを有するバッグ本体を形成することにより始まることができる（ブロック１１１０）。ブロック１１１２において、２つの端部１０８、１１０を画定するストラップ１０６が形成され、少なくとも１つの端部が補強要素１１２を含んでいる。ブロック１１１４において、両方の端部１０８、１１０は、壁部１０４に柔軟に連結される。ブロック１１１６において、支持部材１１６は、補強要素１１２とバッグ１０２とに連結される。上記されるように、支持部材１１６は、ストラップ１０６をバッグ１０２に対してストラップ角度θで持ち上げるように構成され、ストラップ角度θは調整可能である。
【００２９】
いくつかの実施形態では、方法はさらに、２つの各端部を画定する第２ストラップを形成する工程と、両方の各端部を壁部１０４に柔軟に連結する工程と、第２支持部材を第２補強要素とバッグ１０２とに連結する工程とを含む。別の実施形態では、方法はさらに、背柱１２０を壁部１０４の少なくとも一部に沿って連結する工程を含む。第１端部１０８は、背柱１２０に柔軟に連結することができる。さらに別の実施形態では、支持部材１１６は、第１端部１０８から第２端部１１０までの長さの半分以下のところで補強要素１１２に連結される。いくつかの実施形態では、ストラップ１０６は、さらに軟質材料１２６を含み、軟質材料１２６は、補強要素１１２を実質的に囲む。他の実施形態では、フックアンドループ式締結部材１１８が、支持部材１１６に連結される。さらに他の実施形態では、ヒンジ結合具が支持部材１１６に結合される。別の実施形態では、ガイド部材１１４がストラップ１０６に連結される。ガイド部材１１４は、ストラップ１０６の長さを調整するように構成される。
【００３０】
特定的な作業の順番を図１１に示すが、これらの作業は他の時間的順序で実行してもよい。例えば、図１１に示された２つ以上の作業を連続的に、平行してあるいは同時に実行してもよい。あるいは、示された２つ以上の作業を逆の順番で実行してもよい。さらに図１１に示された１つ以上の作業を全く実行しなくてもよい。
【００３１】
特定の実施形態を示して記載したが、当業者には明らかなように、本開示の趣旨および範囲から逸脱することなく様々な修正を行えることは前述から理解されよう。そのような変更および修正は、本明細書に添付された請求項内に定義されるような本開示の範囲および教示内にある。
【図１】
2014014671.tif 000003
【図２】
2014014671.tif 000004
【図３】
2014014671.tif 000005
【図４】
2014014671.tif 000006
【図５】
2014014671.tif 000007
【図６】
2014014671.tif 000008
【図７】
2014014671.tif 000009
【図８】
2014014671.tif 000010
【図９】
2014014671.tif 000011
【図１０】
2014014671.tif 000012
【図１１】
2014014671.tif 000013
【外国語明細書】
2014014671000001.pdf
2014014671000002.pdf
2014014671000003.pdf
2014014671000004.pdf